(57)【特許請求の範囲】
【請求項１】
陳列棚の前方に突出して配設され、商品を吊り下げるフック棒と、前記フック棒の上方に位置しカードホルダーを支持するホルダー棒と、を有する商品陳列フック用カードホルダーであって、
前記カードホルダーは、樹脂材で形成され前面にカードを収納する収納部を有するカードホルダー本体と、樹脂材で形成され前記ホルダー棒に装着される挿入縦孔を有するとともに前記カードホルダー本体を上下方向に回動可能に支持するカードホルダー受部と、を備え、
前記カードホルダー本体の背面には、幅方向中央部に前記カードホルダーの背面との間に下方又は上方を開口する空間部を有して下方又は上方に突出するとともに外面側に複数の突起部を水平方向に形成する湾曲状の位置決め部材と、前記位置決め部材の両外側に配設されて前記カードホルダーの背面との間に下方又は上方を開口する空間部を有して下方又は上方に突出する一対の軸受部材を備え、
前記カードホルダー本体は、前記カードホルダー受部に対して上下方向に段階的に角度調整可能に構成され、
前記カードホルダー本体を上下方向に段階的に角度調整するために、前記カードホルダー本体が前記カードホルダー受部に配設された軸部材を中心に回動可能に構成されるとともに、前記位置決め部材の幅方向に形成された複数の突起部のいずれかと前記カードホルダー受部の前端面の幅方向に形成された水平凹部とが係合可能に構成され、
前記軸部材の中心軸線が、カードホルダー本体部の背面と前記位置決め部材との間に形成される空間部内に配設され、
前記ホルダー棒は前方に延びる水平部と前記水平部の先端で上方に屈曲する先端屈曲部とを有して形成され、前記カードホルダー受部に形成された前記挿入縦孔は前記ホルダー棒の先端屈曲部に嵌入されるとともに、前記挿入縦孔の下端に連接されて前記ホルダー棒の水平部が挿入されるための少なくとも両側面及び後端面が開口されたホルダー棒挿入部が前記ホルダー受部の上辺部と下辺部との間に形成され、
前記下辺部には、前記下辺部を左右方向において分割する開口部位が設けられ、長手方向に沿って前記ホルダー棒の水平部が係合可能な係合溝が、前記開口部位を挟んで平面視有角状に左右一対形成されていることを特徴とする商品陳列フック用カードホルダー。
【請求項２】
前記カードホルダー受部には、前記カードホルダー本体の突起部のいずれかが前記カードホルダー受部の水平凹部に係合するときに、前記カードホルダー本体の背面が当接可能なストッパー面を形成していることを特徴とする請求項１記載の商品陳列フック用カードホルダー。
【請求項３】
前記ストッパー面は、前記カードホルダー受部の前端面から延びる連結板の先端部に形成された上下方向のほぼ中央部からそれぞれ反対方向に傾斜する傾斜面に形成されていることを特徴とする請求項２記載の商品陳列フック用カードホルダー。
【発明の詳細な説明】
【技術分野】
【０００１】
本発明は、商品棚の前方に延びて商品を吊り下げるフック棒と、その上方に配置されたホルダー棒とを備え、ホルダー棒の先端に装着可能に配置されるとともに表示カードを収納する商品陳列フック用カードホルダーに関し、特にカードホルダーをホルダー棒から取り外すことなく、カードホルダーの角度調整を行なえることに関する。
【背景技術】
【０００２】
通常、カードホルダーは、該当商品を示す内容や価格等が表示されるカードホルダー本体部とカードホルダー本体部を回動可能に支持するカードホルダー受部とを備えている。カードホルダー本体部は、誰でも見やすいようにカードホルダー受部に対して上下方向または左右方向に角度調整可能に構成されている。特に上下方向に角度調整する場合、従来においては、カードホルダー受部からホルダー棒を取り外して行なうように構成されていた。しかし、角度調整する場合にカードホルダー受部をホルダー棒から取り外す作業は手間が掛かるため、各メーカーはそれを改良するために手間のかからない構成のカードホルダーを構成する必要が生じていた。そのために改良されたカードホルダーは、特許文献１及び特許文献２に示すように、カードホルダー受部をホルダー棒から取り外すことなく、上下方向及び左右方向共角度調整できることとなっていた。
【０００３】
これによると、特許文献１では、十手型フックの上段バーの先端屈曲部にカードホルダー本体部を支持可能な継手が上下動不動に取り付けられている。継手は、上段バーの下面が当接する下ストッパー部に３箇所の溝が角度を有して形成され、上段バーがそれぞれの溝のいずれかに係合することにより、カードホルダー本体部が上段バーに対して水平方向に角度調整可能に形成されている。また、カードホルダー本体部の背面側には、上把持部と下把持部が形成され継手の受け部の上下面に係合可能に形成されている。下把持部には、水平方向に複数の溝部が形成され、受け部の下辺部がいずれかの溝に係合可能に形成されている。継手とカードホルダー本体部とは樹脂製で可撓性を有していることから、カードホルダー本体部の下辺部を手で押して複数の溝のいずれかに係合することにより、カードホルダー本体部は上下方向に傾斜可能な姿勢を形成することができていた。
【０００４】
また、特許文献２では、商品棚から前方に突出するカードホルダーを支持するホルダー棒と、商品を吊り下げるフック棒と、が上下２段に配置されている。ホルダー棒の先端屈曲部にカードホルダーを支持するカードホルダー支持部が装着され、カードホルダーを支持可能に配置されている。カードホルダーはカードホルダー本体部とカードホルダー支持部とからなり、カードホルダー支持部には、ホルダー棒の先端屈曲部が装着される装着縦孔が形成されるとともに、先端両側に先端側に向かって長手状の軸部を突設している。また、ホルダー棒の水平部が係合する水平溝が有角状に複数形成されている。
【０００５】
カードホルダー本体部は、背面に一対の回動支持部が幅方向に間隔を有して形成されている。一対の回動支持部にはカードホルダー支持部の両側軸部に係合する凹部が対向するように上下方向に複数段に形成されている。したがって、ホルダー棒を、カードホルダー支持部のいずれかの水平溝に係合することにより、カードホルダー本体部を水平方向に傾斜して配置することができ、また、カードホルダー本体のいずれか一対の凹部を一対のカードホルダー支持部の長手状の軸部に係合させることにより、上下方向に傾斜可能な姿勢を形成することができていた。
【先行技術文献】
【特許文献】
【０００６】
【特許文献１】実用新案登録第3106925号公報
【特許文献２】特開2004‐29187号公報
【発明の概要】
【発明が解決しようとする課題】
【０００７】
しかし、特許文献１の場合、上段バーから継手を取り外すことなくカードホルダーと継手とを一体的に組み付けた状態で上下方向及び左右方向に傾斜させることができるものの、角度調整する際には、上把持部を中心にして板状の受け部を前後方向に形成された下把持部の複数の溝を選択しなければならないので、カードホルダーの前後方向のスペースを必要とすることになる。したがって大きな角度で傾斜させる必要がある場合には、広いスペースが必要となる。また、受け部を下把持部で係合する際に、角度変更の切り替えをスムーズに行なおうとすれば、受け部の下辺が溝に係合するまでの移動抵抗を小さくしなければならない。つまり係合状態によってはカードホルダーが継手から外れ易くなり、カードホルダー自体が落下する虞を生じることとなる。
【０００８】
また、特許文献２の場合、カードホルダー支持部をホルダー棒から取り外すことなくカードホルダー支持部とカードホルダー本体とを一体的に組み付けた状態で角度調整することはできるものの、カードホルダー本体の背面に形成された一対の回動支持部の凹部に、カードホルダー支持部の一対の長手状の軸部に係合させる際、一対の軸部を挟むように回動支持部の凹部を係合させるため、その係合状態がきつくなり角度調整の切り替え作業がスムーズにできなかった。そのためカードホルダーの角度調整に時間を要することになっていた。
【０００９】
本発明は、上述の課題を解決するものであり、簡単な構成で角度調整の作業をスムーズにするとともに、コンパクトに構成するカードホルダーを提供することを目的とする。
【課題を解決するための手段】
【００１０】
本発明に係る商品陳列フック用カードホルダーは、以下のように構成するものである。すなわち、
請求項１記載の発明は、陳列棚の前方に突出して配設され、商品を吊り下げるフック棒と、前記フック棒の上方に位置しカードホルダーを支持するホルダー棒と、を有する商品陳列フック用カードホルダーであって、
前記カードホルダーは、樹脂材で形成され前面にカードを収納する収納部を有するカードホルダー本体と、樹脂材で形成され前記ホルダー棒に装着される挿入縦孔を有するとともに前記カードホルダー本体を上下方向に回動可能に支持するカードホルダー受部と、を備え、前記カードホルダー本体の背面には、幅方向中央部に前記カードホルダーの背面との間に下方又は上方を開口する空間部を有して下方又は上方に突出するとともに外面側に複数の突起部を水平方向に形成する湾曲状の位置決め部材と、前記位置決め部材の両外側に配設されて前記カードホルダーの背面との間に下方又は上方を開口する空間部を有して下方又は上方に突出する一対の軸受部材を備え、前記カードホルダー本体は、前記カードホルダー受部に対して上下方向に段階的に角度調整可能に構成され、前記カードホルダー本体を上下方向に段階的に角度調整するために、前記カードホルダー本体が前記カードホルダー受部に配設された軸部材を中心に回動可能に構成されるとともに、前記位置決め部材の幅方向に形成された複数の突起部のいずれかと前記カードホルダー受部の前端面の幅方向に形成された水平凹部とが係合可能に構成され、前記軸部材の中心軸線が、カードホルダー本体部の背面と前記位置決め部材との間に形成される空間部内に配設されていることを特徴とするものである。
【００１１】
これによると、カードホルダー本体の回動中心となるカードホルダー受部の軸部材の中心軸線が、カードホルダー本体部の背面と位置決め部材間で形成された空間部内に位置されている。位置決め部材の外面側には水平方向に形成された複数の突起部がカードホルダー受部の前端面に形成された水平凹部と係合可能に構成されている。つまり、位置決め部材の内外にカードホルダー本体部の回動中心と角度調整する位置決め構成部位が形成されているため、カードホルダー自体をコンパクトに構成することができる。しかも表示カードを収納する収納部がカードホルダー本体部の前面側に形成されているため、カードホルダー本体部の傾斜角度を小さく設定しても、表示カードを大きく振ることができるため、これによってもカードホルダーをコンパクトに構成することができる。
【００１２】
また、カードホルダー本体に形成された位置決め部材と軸受部材とが、位置決め部材及び軸受部材とカードホルダー本体の背面との間に下方又は上方に開口する空間部を有していることから、成形型をシンプルに形成できて成形コストを廉価にすることができる。さらに、軸受部材は下方又は上方を開口する空間部を有していることから、カードホルダー埋め部の軸部材を容易に挿入することができ、カードホルダー本体部とカードホルダー受部の組付を容易にすることができる。
【００１３】
また、位置決め部材に形成された水平方向の突起部が一面側で係合するカードホルダー受部の溝状の水平凹部に係合するから、突起部が回転して水平凹部に突入する際の背面に接触する抵抗を小さく設定することができる。これにより角度調整の切り替えをスムーズに行なうことができる。
【００１４】
また、前記カードホルダー受部には、前記カードホルダー本体の突起部のいずれかが前記カードホルダー受部の水平凹部に係合するときに、前記カードホルダー本体の背面が当接可能なストッパー面を形成していることを特徴としている。
【００１５】
これによると、角度調整する際の切り替え作業をスムーズにするために、突起部の水平凹部への突入時における背面に接触する抵抗を小さく設定しても、カードホルダー本体部はカードホルダー受部のストッパー面で保持されているから、カードホルダー本体のカードホルダー受部からの落下を防止することができる。
【００１６】
また、前記ストッパー面は、前記カードホルダー受部の前端面から延びる連結板の先端部に形成された上下方向のほぼ中央部からそれぞれ反対方向に傾斜する傾斜面に形成されていることを特徴としている。
【００１７】
これによって、カードホルダーが、垂直面を中心にして、上向きと下向きに傾斜することができ適宜な角度を選択することができる。
【００１８】
また、前記ホルダー棒は前方に延びる水平部と前記水平部の先端で上方に屈曲する先端屈曲部とを有して形成され、前記カードホルダー受部に形成された前記挿入縦孔は前記ホルダー棒の先端屈曲部に嵌入されるとともに、前記挿入縦孔の下端に連接されて前記ホルダー棒の水平部が挿入されるための少なくとも両側面及び後端面が開口されたホルダー棒挿入部が前記ホルダー受部の上辺部と下辺部との間に形成されていることを特徴とするものである。
【００１９】
これによると、ホルダー棒は樹脂製のカードホルダー受部の上辺部と下辺部を開くことによって容易にカードホルダー受部のホルダー棒挿入部に挿入されることができ、先端屈曲部を挿入縦孔に挿入することによって、カードホルダー受部をホルダー棒に装着することができる。
【００２０】
また、前記下辺部には、前記下辺部を左右方向において分割する開口部位が設けられ、長手方向に沿って前記ホルダー棒の水平部が係合可能な係合溝が、前記開口部位を挟んで平面視有角状に左右一対形成されていることを特徴としている。
【００２１】
これによると、ホルダー棒の水平部をいずれかの係合溝に係合させることによって、カードホルダー本体をカードホルダー受部から取り外すことなくカードホルダー本体を左右方向に角度調整することができる。
【図面の簡単な説明】
【００２２】
【図１】図１は、本発明の一実施形態を示す商品陳列フックの側面図である。
【図２】図１のホルダー棒に取り付けたカードホルダーを示す側面図である。
【図３】同平面図である。
【図４】カードホルダー本体部の背面図（a）と側面図（b）である。
【図５】カードホルダー受部の正面図（a）と側面図（b）である。
【図６】カードホルダーの底面斜視図である。
【図７】カードホルダー背面図である。
【図８】図同平面断面図である。
【図９】同側面断面図である。
【図１０】カードホルダーを上方に傾斜させた状態の側面図（ａ）及び断面図（ｂ）
【図１１】カードホルダーを下方に傾斜させた状態の側面図（ａ）及び断面図（ｂ）
【図１２】カードホルダーを左右方向に傾斜させた状態（（ａ）正面、（ｂ）右方向、（ｃ）左方向）を示す平面図
【発明を実施するための形態】
【００２３】
以下、本発明の商品陳列フック用カードホルダー（以下、単にカードホルダーという）の実施形態を図面に基づいて説明する。
【００２４】
図１は、カードホルダー１０を装着した商品陳列フック１の側面図であり、図２はカードホルダー１０の側面図、図３はその平面図を示す。
【００２５】
カードホルダー１０は、図示しない商品棚に係合する棚係合部４から前方（図１の左方向）に向かって延びる２本の金属棒、つまり、下方のフック棒２及び上方のホルダー棒３のうち上段のホルダー棒３の先端に装着されている。ホルダー棒３は、棚から前方に延びる水平部３ａと水平部３ａの先端に形成された先端屈曲部３ｂとを有し、先端屈曲部３ｂにカードホルダー１０が装着される。
【００２６】
図２〜３に示すように、カードホルダー１０は、商品を示す表示カードを収納するカードホルダー本体部１１と、カードホルダー本体部１１を支持するカードホルダー受部２０を有して構成されている。
【００２７】
カードホルダー本体部１１とカードホルダー受部２０とは、カードホルダー本体部１１の背面１１ｂに形成された後述の一対の軸受部材１４、１４に後述のカードホルダー受部２０の一対の軸部材２９、２９が、開口された下方又は上方から挿入されることによって、カードホルダー本体部１１が回動可能に支持される。カードホルダー本体部１１に形成された位置決め部材１２は、一対の軸受部材１４、１４間に配置されている。
【００２８】
図４（ａ）はカードホルダー本体部１１の背面を示す図であり、図４（ｂ）はその側面図を示している。カードホルダー本体部１１は樹脂材で形成され、図１〜２に示すように、前面に該当商品を示す内容や価格等が記載された図示しないカードを収納する収納部１１aが形成され、背面１１ｂがカードホルダー受部２０に支持可能に形成されている。背面１１ｂの幅方向中央部には位置決め部材１２が形成されている。位置決め部材１２は、実施形態においては、背面１１ｂとの間に下方が開口された空間部１３を形成するように背面１１ｂから下方に湾曲する板状に形成されている。位置決め部材１２の外側面には、幅方向に沿って３本の水平突起部１７（１７ａ、１７ｂ、１７ｃ）が形成されている。
【００２９】
位置決め部材１２の両端部外側には、背面１１ｂから下方に向かって湾曲して延長され背面１１ｂとの間に下方が開口された空間部１５を有する板状の軸受部材１４が一対形成され、後述のカードホルダー受部２０の一対の軸部材２９が挿入される。位置決め部材１２と背面１１ｂとの間に形成された空間部１３は側面視（図２（ｂ））に示すように共に下方が開放されていることから、従来に対して型構成をシンプルにして成形時のコストを廉価にするとともにカードホルダー受部２０の軸部材２９を挿入しやすくしている。
【００３０】
また、一対の軸受部材１４の外側下方に背面１１ｂから突出した軸支持部１８が形成されて、それぞれの軸受部材１４、１４内に挿入された軸部材２９、２９を下方から支持している。
【００３１】
なお、位置決め部材１２と背面１１ｂとの間に形成された空間部１３及び一対の軸受部材１４、１４と背面１１ｂとの間に形成された空間部１５、１５は上方を開口するように形成してもよい。その場合、軸支持部１８、１８は軸受部材１４、１４の外側上方に背面１１ｂから突出されて軸部材２９、２９を上方から支持することになる。
【００３２】
カードホルダー受部２０は樹脂材で形成され、図５（ａ）〜（ｂ）に示すように、頭部２１と、胴体部２２を有している。頭部２１には、ホルダー棒３の先端屈曲部３ｂが挿入可能な挿入縦孔２１ａが形成され、胴体部２２には、両側部と後端部が開口された部位を間にして上辺部２２ａと下辺部２２ｂとが形成されている。開口部位にはホルダー棒３の水平部３ａが挿入されるホルダー棒挿入部２２ｃが挿入縦孔２１ａの下端に連接されて形成されている。また、図６に示すように、下辺部２２ｂは、長手方向の中央部が開口されて平面視左右に分割されている。分割された下辺部２２ｂには、長手方向中心線に対してそれぞれ３０度後方に傾斜して形成された係合溝２４（図８（ａ）参照）が一対形成されて、ホルダー棒３の水平部３ａが左右に形成されたいずれかの係合溝２４に係合可能とされる。なお、図８（ａ）上、上方にある係合溝２４を第１の係合溝２４ａとし、下方にある係合溝２４を第２の係合溝２４ｂとする。
【００３３】
図５に示すように、カードホルダー受部２０の前端面２５には、前端面２５から前方に延びる延長板２８、２８がそれぞれ間隔を有して一対形成され、それぞれの延長板２８、２８の先端中央部付近にそれぞれ外方に向かう軸部材２９が延長板２８、２８と一体的に形成されている。それぞれの軸部材２９，２９は、前述のように、カードホルダー本体部１１の軸受部材１４、１４内に挿入されてそれぞれ軸受部材１４、１４及びその下方に配置された軸支持部１８、１８に支持される。
【００３４】
図５（ａ）に示すように、カードホルダー受部２０の前端面２５には、一対の延長板２８、２８間に幅方向に水平凹部２６が１本形成され、前述のカードホルダー本体部１１の位置決め部材１２の複数に配置された水平突起部１７（１７ａ、１７ｂ、１７ｃ  図４参照）のいずれかが係合される。いずれかの水平突起部１７（１７ａ、１７ｂ、１７ｃ）は、水平凹部２６と背面１１ｂが連接する角部位として形成された軸支持部２７に回動可能に支持される。したがって、カードホルダー本体部１１の回動中心線と回動された位置で位置決めされる水平突起部１７とは、一対の延長板２８、２８内の空間部３０内に収納される。これによって、カードホルダー本体部１１とカードホルダー受部２０とをコンパクトに形成することができる。特に軸部材２９、２９の中心軸線が位置決め部材１２の空間部１３内に配置され位置決め部材１２の外面側に水平凹部２６と係合する水平突起部１７が形成されているので、カードホルダー本体部１１の背面１１ｂとカードホルダー受部２０の前端面２５との間を短くすることができる。これによってカードホルダー１０をコンパクトに構成できることとなる。
【００３５】
また、延長板２８、２８の先端部は三角状に形成され、その頂点部２８ａを中心にして後方に向かって上方に傾斜された上ストッパー面２８ｂと下方に傾斜された下ストッパー面２８ｃがそれぞれの延長板２８、２８に形成されている。この上ストッパー面２８ｂ、下ストッパー面２８ｃは、カードホルダー本体部１１が角度調整により上方を向いた位置と下方を向いた位置に傾斜する際にカードホルダー本体部１１の背面１１ｂに当接可能に形成されている。したがって、カードホルダー本体部１１を上方位置または下方位置のいずれの位置に傾斜させても、傾斜位置で確実に維持することができる。
【００３６】
次に、ホルダー棒３にカードホルダー１０を挿入する作用について説明する。
【００３７】
先ず、図２に示すように、カードホルダー受部２０をカードホルダー本体部１１に係合させる。カードホルダー受部２０の一対の延長板２８、２８を、位置決め部材１２と両端に形成された軸受部材１４、１４との間の隙間から一対の延長板２８、２８を、開口された下方又は上方から挿入した後、カードホルダー受部２０の軸部材２９、２９をカードホルダー本体部１１の軸受部材１４、１４内に挿入して、軸部材２９、２９を軸受部材１４、１４及び軸支持部１８、１８で係合支持して、カードホルダー本体部１１とカードホルダー受部２０を一体化させる。
【００３８】
次に、カードホルダー受部２０の上辺部２２ａ、下辺部２２ｂで構成された胴体部２２を上下方向に広げるようにしてホルダー棒３の先端屈曲部３ｂをホルダー棒挿入部２２ｃから頭部２１に形成された挿入縦孔２１ａ内に挿入する。そして、ホルダー棒３の水平部３ａをホルダー棒挿入部２２ｃ内に挿入する。この際、ホルダー棒３の水平部３ａは、下辺部２２ｂの左右に分割された中心線上の開口部位上に沿って配置する。すると、図１及び図７に示すように、カードホルダー本体部１１はホルダー棒３に対して水平方向に直交する位置にあり正面を向いた姿勢に維持される。
【００３９】
なお、先にホルダー棒３の先端屈曲部３bにカードホルダー受部２０を挿入した後で、カードホルダー本体部１１をカードホルダー受部２０に装着するようにしてもよい。
【００４０】
次に、カードホルダー１０を上下方向に角度調整する作用について図８〜１３に基づいて説明する。カードホルダー１０がホルダー棒３に対して９０度に直立している状態は、図８〜９に示す通りであり、図９に示すように、カードホルダー本体部１１は、カードホルダー受部２０（ホルダー棒３）に対して上下方向に直交する９０度の位置にある。この場合、カードホルダー本体部１１側の水平突起部１７の内中央位置の１７ｂが、カードホルダー受部側の水平凹部２６内に係合され、水平凹部２６と水平凹部２６に隣接する一対の前端面２５の肩部に形成された軸支持部２７、２７で支持されることとなる。
【００４１】
図１０（ａ）〜（ｂ）に示すように、カードホルダー本体部１１を上方に傾斜させた場合、カードホルダー本体部１１の上部を後方に向けて手で押し込むと、カードホルダー本体部１１側の水平突起部１７の内、上部の水平突起部１７ａが軸部材２９の周りを、図１０（ｂ）上、時計方向に回転して、水平突起部１７ａが水平凹部２６内に係合する。上方位置の水平突起部１７ａは、水平凹部２６と水平凹部２６に隣接する一対の前端面２５の肩部に形成された軸支持部２７、２７で支持されることとなる。カードホルダー本体部１１の位置決め部材１２とカードホルダー受部２０は樹脂材で形成され、水平突起部１７ｂの一面側が回転しながら水平凹部２６内に突入することになるので、背面１１ｂ（軸支持部２７、２７）との間の接触を小さくすることによって水平突起部１７ｂの突入時における接触する際の抵抗を小さく設定することができ、角度調整するための切り替え作業をスムーズに行なうことができる。しかも、上方に傾けた位置では、延長板２８の上ストッパー面２８ｂがカードホルダー本体部１１の背面１１ｂに当接することから、カードホルダー本体部１１はこの上方傾斜位置で確実に保持される。ちなみにこの上方位置はカードホルダー本体部１１の垂直面に対してほぼ３０°の傾斜位置に設定されている。
【００４２】
次に、図１１（ａ）〜（ｂ）に示すように、カードホルダー本体部１１を下方に傾斜させた場合、カードホルダー本体部１１の下部を後方に向けて手で押し込むと、カードホルダー本体部１１側の水平突起部１７の内、下部の水平突起部１７ｃが軸部材２９の周りを、図１１（ｂ）上、反時計方向に回転して、水平突起部１７ｃが水平凹部２６内に係合する。下方位置の水平突起部１７ｃは、水平凹部２６と水平凹部２６に隣接する一対の前端面２５の肩部に形成された軸支持部２７、２７で支持されることとなる。カードホルダー本体部１１の位置決め部材１２とカードホルダー受部２０は樹脂材で形成され、水平突起部１７ｃの一面側が回転しながら水平凹部２６内に突入することになるので、上述通り切り替え作業をスムーズに行なうことができる。しかも、下方に傾けた位置では、延長板２８の下ストッパー面２８ｃがカードホルダー本体部１１の背面１１ｂに当接することから、カードホルダー本体部１１はこの下方傾斜位置で確実に保持される。ちなみにこの下方位置はカードホルダー本体部１１の垂直面に対してほぼ３０°の傾斜位置に設定される。
【００４３】
次に、カードホルダー本体部１１をホルダー棒３に対して左右方向に角度調整する作用について図１２（ａ）〜（ｃ）に基づいて説明する。図１２（ａ）は、カードホルダー本体部１１が、ホルダー棒３に対して正面を向いている姿勢であり、ホルダー棒３の軸線に直交する方向にある。図１２においては、カードホルダー本体部１１の上下方向の向きは下向きの状態を示しているが、どの角度であってもよい。ホルダー棒３の水平部３ａは、カードホルダー受部２０の下辺部２２ｂの中央位置の開口部位に沿って係合されている。
【００４４】
図１２（ｂ）は、カードホルダー本体部１１がホルダー棒３に対して平面視右方向に角度調整された位置であり、カードホルダー受部２０を、手で、平面視時計方向に回転させることによってホルダー棒３の水平部３ａは、下辺部２２ｂに形成された第１の係合溝２４ａに係合される。
【００４５】
図１２（ｃ）は、カードホルダー本体部１１がホルダー棒３に対して平面視左方向に角度調整された位置であり、カードホルダー受部２０を、手で、平面視反時計方向に回転させることによってホルダー棒３の水平部３ａは、下辺部２２ｂに形成された第２の係合溝２４ｂに係合される。
【００４６】
上述のように、本発明では、カードホルダー受部２０をホルダー棒３から取り外すことなくカードホルダーの角度調整を行なうことができる。
【００４７】
また、カードホルダー本体部１１の回動中心となる軸部材２９の中心軸線が、カードホルダー本体部１１に形成された位置決め部材１２の空間部３０内に配置され、位置決め部材１２の外面側に形成された水平突起部１７がカードホルダー受部２０の前端面２５に形成された水平凹部２６に係合される。つまり位置決め部材１２の内外に回動中心と角度調整構成部位が配置されていることから、カードホルダー本体部１１の背面１１ｂとカードホルダー受部２０の前端面２５との間隔を短くすることができ、カードホルダー１０自体をコンパクトに構成することができる。
【００４８】
また、軸部材２９と角度調整を構成する部位の位置との距離を短く設定できることにより、その外側に表示されるカードホルダー本体部１１の収納部１１ａをより大きく振ることができる。これによってもカードホルダー本体部１１とカードホルダー受部２０の形状をコンパクトに設計できる。
【００４９】
さらに、カードホルダー本体部１１の回動中心となる軸部材２９に対して角度調整される水平突起部１７が水平凹部２６に係合される際、水平突起部１７の片側面のみで水平凹部２６内に突入し、突入した後は、延長板２８の上ストッパー面２８ｂまたは下ストッパー面２９ｃがカードホルダー本体部１１の背面１１ｂに当接するから、水平突起部１７の突入時における背面１１ｂに接触する際の抵抗を小さく設定することが可能となる。そのため、角度調整作業をスムーズに行なうことができる。
【００５０】
また、カードホルダー受部２０にカードホルダー本体部１１を装着する際、カードホルダー受部２０の軸部材２９をカードホルダー本体部１１の軸受部材１４の下方又は上方に開口された部位より挿入できることから、カードホルダー受部２０にカードホルダー本体部１１を容易に組付できる。
【００５１】
さらに、カードホルダー本体部１１の位置決め部材１２と軸受部材１４の下方又は上方が開口されていることは、カードホルダー本体部１１を樹脂成型する際の型抜けをシンプルにして成形費用を廉価にすることができる。
【符号の説明】
【００５２】
１、商品陳列フック
２、フック棒
３、ホルダー棒
３ｂ、先端屈曲部
１０、カードホルダー
１１、ホルダー本体
１１ａ、背面
１２、位置決め部材
１３、空間部
１４、軸受部材
１５、空間部
１７、水平突起部
１８、軸支持部
２０、カードホルダー受部
２２、胴体部
２５、前端面
２６、水平凹部
２７、軸支持部
２８ｂ、ストッパー面
２８ｃ、ストッパー面
２９、軸部材
【図１】
0006604900.tif 000002
【図２】
0006604900.tif 000003
【図３】
0006604900.tif 000004
【図４】
0006604900.tif 000005
【図５】
0006604900.tif 000006
【図６】
0006604900.tif 000007
【図７】
0006604900.tif 000008
【図８】
0006604900.tif 000009
【図９】
0006604900.tif 000010
【図１０】
0006604900.tif 000011
【図１１】
0006604900.tif 000012
【図１２】
0006604900.tif 000013